(57)【要約】【課題】掛け寝具の落下を簡易な構成で確実に抑制することができる寝具を提供する。【解決手段】一実施形態に係る寝具は、掛け寝具２０が乗せられる敷き寝具１０を備えた寝具１であって、敷き寝具１０は、鉛直上方に向けられる長方形状の上面１０ａと、上面１０ａの幅方向Ｄ２の両端において水平方向に向けられる一対の側面１０ｂと、を有し、一対の側面１０ｂのそれぞれには、掛け寝具２０が貼り付けられる第１接合部１３ａが設けられている。【選択図】図２
2019042034.tif 000002
【特許請求の範囲】
【請求項１】
掛け寝具が乗せられる敷き寝具を備えた寝具であって、
前記敷き寝具は、
鉛直上方に向けられる長方形状の上面と、
前記上面の幅方向の両端において水平方向に向けられる一対の側面と、
を有し、
前記一対の側面のそれぞれには、前記掛け寝具が貼り付けられる第１接合部が設けられている、
寝具。
【請求項２】
前記上面の幅方向の両端側のそれぞれには、前記掛け寝具が貼り付けられる第２接合部が設けられている、
請求項１に記載の寝具。
【請求項３】
前記掛け寝具は、鉛直下方に向けられる下面を有し、
前記下面には、前記一対の側面のそれぞれの前記第１接合部に貼り付けられる掛け寝具側接合部が設けられている、
請求項１又は２に記載の寝具。
【発明の詳細な説明】
【技術分野】
【０００１】
本発明は、掛け寝具が掛けられる敷き寝具を備えた寝具に関する。
【背景技術】
【０００２】
掛け寝具と敷き寝具とを備えた寝具においては、従来から、寝心地を改善するための様々な工夫がなされている。敷き寝具の上に設けられる掛け寝具は、使用者の身体を保護するために身体に乗せられる。掛け寝具は、使用者の寝心地を確保するために使用者の身体から落下しないことが重要である。使用者の身体から掛け寝具が落下すると、使用者に寒さを感じさせたり、掛け寝具を持ち上げさせる煩わしさを使用者に与えたりする問題が生じうる。
【０００３】
特開２０００−３４２４１７号公報には、掛け布団のずり落ち防止金具が記載されている。この金具は、長尺状の平ゴムを備えており、全体として平ゴムの長手方向に延びる形状を成している。金具の長手方向の一端はベッドに固定される部位であり、金具の長手方向の他端は掛け布団に固定される部位である。
【０００４】
ベッドに固定される部位は、ベッドの脚の下端に嵌められるようにＵ字状とされており、ボルトによってベッドに固定される。金具の掛け布団に固定される部位は、掛け布団を挟み込んで止めるサスペンダー状とされている。このように、金具の端部が掛け布団を挟み込むことにより、掛け布団の落下の抑制を図っている。
【先行技術文献】
【特許文献】
【０００５】
【特許文献１】特開２０００−３４２４１７号公報
【発明の概要】
【発明が解決しようとする課題】
【０００６】
前述した金具は、その一端がベッドに固定されると共に、他端が掛け布団に固定される。しかしながら、この金具は、掛け布団をピンポイントで固定するものである。よって、掛け布団の落下を確実に抑えるためには、複数の金具をベッド及び掛け布団に固定させる必要がある。
【０００７】
前述した金具を使うときには、金具をベッドにボルトで固定させる作業、及び金具で掛け布団を挟み込む作業が必要である。よって、特に複数の金具を固定させるときに、金具をベッド及び掛け布団に固定させる作業が煩雑となる。更に、前述した金具の掛け布団に固定させる部分は、サスペンダー状とされており金属部分を含むため、当該部分に使用者の身体が当たったときに使用者の寝心地が損なわれる懸念がある。
【０００８】
本発明は、掛け寝具の落下を簡易な構成で確実に抑制することができる寝具を提供することを目的とする。
【課題を解決するための手段】
【０００９】
本発明に係る寝具は、掛け寝具が乗せられる敷き寝具を備えた寝具であって、敷き寝具は、鉛直上方に向けられる長方形状の上面と、上面の幅方向の両端において水平方向に向けられる一対の側面と、を有し、一対の側面のそれぞれには、掛け寝具が貼り付けられる第１接合部が設けられている。
【００１０】
この寝具は、長方形状の上面と、上面の幅方向の両端のそれぞれに設けられた側面とを有し、一対の側面のそれぞれに第１接合部が設けられている。各第１接合部には掛け寝具を貼り付け可能とされている。従って、掛け寝具を敷き寝具の側面に設けられた各第１接合部に貼り付けることにより、敷き寝具の各側面に掛け寝具を貼り付けて接合することができる。よって、掛け寝具を敷き寝具の上に乗せて、掛け寝具の幅方向の両端側部分を敷き寝具の各側面の第１接合部に貼り付けることにより、掛け寝具を容易に固定させることができる。また、敷き寝具の各側面に設けられた一対の第１接合部に掛け寝具を接合することができる。従って、敷き寝具の上面に横たわる使用者が掛け寝具の下で寝返りを打っても、第１接合部により敷き寝具の各側面で掛け寝具が固定されているので、各側面からの掛け寝具のずれを抑制することができる。よって、敷き寝具の幅方向の両端において掛け寝具を接合し、敷き寝具の各側面への掛け寝具の接合を維持することができるので、掛け寝具の落下を確実に抑制することができる。
【００１１】
また、上面の幅方向の両端側のそれぞれには、掛け寝具が貼り付けられる第２接合部が設けられていてもよい。この場合、敷き寝具の上面における幅方向両端側のそれぞれに第２接合部が設けられるので、敷き寝具の各側面及び上面に対する掛け寝具の接合をより確実に維持することができる。また、敷き寝具の上面に第２接合部が設けられることにより、例えば敷き寝具の厚さが薄い場合であっても確実に敷き寝具に掛け寝具を接合させることができる。従って、掛け寝具の落下をより確実に抑制することができる。
【００１２】
また、掛け寝具は、鉛直下方に向けられる下面を有し、下面には、一対の側面のそれぞれの第１接合部に貼り付けられる掛け寝具側接合部が設けられていてもよい。この場合、掛け寝具は、敷き寝具の各側面に設けられた第１接合部のそれぞれに貼り付けられる掛け寝具側接合部を備える。よって、敷き寝具の各側面の第１接合部に掛け寝具側接合部を貼り付けることにより、敷き寝具に対する掛け寝具の貼り付けをより確実に行うことができる。従って、掛け寝具の落下をより確実に抑制することができる。
【発明の効果】
【００１３】
本発明によれば、掛け寝具の落下を簡易な構成で確実に抑制することができる。
【図面の簡単な説明】
【００１４】
【図１】第１実施形態に係る敷き寝具を示す斜視図である。
【図２】図１の敷き寝具及び掛け寝具を示す断面図である。
【図３】図１の敷き寝具を示す側面図である。
【図４】第１実施形態に係る掛け寝具を下から見た底面図である。
【図５】図４の掛け寝具及び敷き寝具における各接合部を拡大させた図である。
【図６】第２実施形態に係る敷き寝具及び掛け寝具を示す断面図である。
【図７】第３実施形態に係る掛け寝具を備えた寝具を示す断面図である。
【発明を実施するための形態】
【００１５】
以下では図面を参照しながら本発明に係る寝具の実施形態について説明する。図面の説明において、同一又は相当する要素には同一の符号を付し重複する説明を適宜省略する。本明細書において、「寝具」とは、寝具の使用者が身体を休めたり睡眠をとったりするときに使用者の身体に当てられるものであり、典型的には、布団、枕、座布団又はクッションである。
【００１６】
「敷き寝具」は、使用者の身体が乗せられる寝具を示しており、典型的には、敷き布団、マットレス又はベッドパッドである。「掛け寝具」は、使用者の身体に乗せられる寝具を示しており、典型的には、掛け布団、毛布又はタオルケットである。「接合部」は、敷き寝具と掛け寝具とを互いに接合させる部位又は部材を示しており、例えば、貼り付けによって面接合される部分を含む。「面接合」とは、接合部が面状となるように接合する状態を示している。「面状」とは、二次元的に延在する状態を示しており、肌触りを妨げる程度に突出又は窪んでいない状態を示している。
【００１７】
（第１実施形態）
図１は、第１実施形態に係る寝具１のうち敷き寝具１０を示す斜視図である。図２は、寝具１の幅方向Ｄ２に寝具１を切断したときの断面図である。図１及び図２に示されるように、寝具１は、敷き寝具１０と掛け寝具２０とを備える。敷き寝具１０は、例えば、ベッドＢの上に乗せられたマットレスである。敷き寝具１０は、全体として直方体状を呈する。寝具１は、敷き寝具１０及び掛け寝具２０を備えた掛け布団敷き布団セットであってもよい。
【００１８】
敷き寝具１０は、ベッドＢの長手方向Ｄ１に長く延びると共に、ベッドＢの幅方向Ｄ２に一定長さ延びている。敷き寝具１０の厚さ（厚さ方向Ｄ３の長さ）は、例えば、５ｃｍ以上且つ３５ｃｍ以下である。敷き寝具１０は、鉛直上方に向けられる長方形状の上面１０ａと、上面１０ａの幅方向Ｄ２の両端において水平方向に向けられる一対の側面１０ｂと、上面１０ａの長手方向Ｄ１の両端において水平方向に向けられる一対の側面１０ｃとを有する。２つの側面１０ｃのうち、一方はベッドＢのヘッドボードに対向し、他方はベッドＢのフットボードの上において露出している。
【００１９】
敷き寝具１０は、直方体状を成す寝具本体１１と、寝具本体１１を覆うカバー１２とを備える。なお、本明細書において、カバーは、寝具本体の一部又は全部を覆う物及び部分を含み、典型的には、布団カバー又はシーツである。寝具本体１１は、敷き寝具１０の芯材として機能する。寝具本体１１は、コイルスプリング等の内容物を備えており、この内容物によって厚さ方向Ｄ３に厚みを備えた形状とされている。
【００２０】
カバー１２は、例えば、寝具本体１１を出し入れするためのファスナーを備える。カバー１２は、幅方向Ｄ２の一端及び他端のそれぞれにおいて長手方向Ｄ１に延びる一対の敷き寝具側接合部１３と、一対の敷き寝具側接合部１３の間に位置する第１一般部１４と、敷き寝具側接合部１３及び第１一般部１４の鉛直下方に位置する第２一般部１５とを有する。敷き寝具側接合部１３、第１一般部１４及び第２一般部１５のそれぞれの境目部分には縫い目が設けられている。
【００２１】
敷き寝具側接合部１３は、掛け寝具２０が貼り付けられる部位である。敷き寝具側接合部１３は、長手方向Ｄ１に長く延びる長方形状を成しており、幅方向Ｄ２に一定長さ延びている。敷き寝具側接合部１３は、例えば、敷き寝具１０の長手方向Ｄ１の全体に延びている。敷き寝具側接合部１３の材料については後述する。
【００２２】
敷き寝具側接合部１３は、一対の側面１０ｂのそれぞれに設けられる第１接合部１３ａと、上面１０ａの幅方向Ｄ２の両端側のそれぞれに設けられる第２接合部１３ｂと、一対の側面１０ｃのそれぞれに設けられる第３接合部１３ｃとを有する。第１接合部１３ａ、第２接合部１３ｂ及び第３接合部１３ｃは互いに連続した１枚の平布状とされている。
【００２３】
図３に示されるように、第１接合部１３ａは、上面１０ａの長手方向Ｄ１に延びる端辺１０ｄから一定長さ下方に延びる長方形状を成している。一例として、第１接合部１３ａは、側面１０ｂの上側の１／３以上且つ２／３以下を占めている。第１接合部１３ａは、例えば、敷き寝具１０の長手方向Ｄ１の全体にわたって延びており、第１接合部１３ａの幅（厚さ方向Ｄ３の長さ）は、１ｃｍ以上且つ３０ｃｍ以下である。
【００２４】
図１に示されるように、第２接合部１３ｂは、敷き寝具１０の端辺１０ｄから一定長さ幅方向Ｄ２の内側に延びる長方形状を成している。例えば、第２接合部１３ｂは敷き寝具１０の長手方向Ｄ１の全体にわたって延びており、第２接合部１３ｂの幅（幅方向Ｄ２の長さ）は３ｃｍ以上且つ３０ｃｍ以下である。
【００２５】
第３接合部１３ｃは、側面１０ｃにおいて長方形状を成している。一例として、第３接合部１３ｃの幅方向Ｄ２の長さは第２接合部１３ｂの幅方向Ｄ２の長さと同一であり、第３接合部１３ｃの厚さ方向Ｄ３の高さは第１接合部１３ａの厚さ方向Ｄ３の高さと同一である。なお、第３接合部１３ｃは省略することも可能である。
【００２６】
第１一般部１４は、一対の第２接合部１３ｂの間、及び一対の第３接合部１３ｃの間に設けられる。第１一般部１４は、敷き寝具１０の上面１０ａから側面１０ｃに連続して延びている。第１一般部１４及び第２一般部１５の材料は、例えば、綿、麻、絹、羊毛、若しくはレーヨン等の天然繊維、又は布帛である。
【００２７】
図４は、掛け寝具２０の下面２０ａを示す底面図である。下面２０ａは鉛直下方に向けられる面である。図２及び図４に示されるように、掛け寝具２０は、例えば、全体として長方形状を呈する掛け布団である。掛け寝具２０は、長手方向Ｄ１に長く延びると共に、幅方向Ｄ２に一定長さ延びており、厚さ方向Ｄ３に一定の厚みを有する。下面２０ａは、敷き寝具１０の上に横たわった使用者の身体に接触する部分である。一例として、掛け寝具２０は、羽毛布団であり、敷き寝具１０の上に乗せられて使用者の身体に掛けられることにより使用される。
【００２８】
掛け寝具２０は、掛け寝具２０の中身を構成する掛け寝具本体２１と、掛け寝具本体２１を収容する布製のカバー２２とを備える。掛け寝具本体２１は、例えば、羽毛（羽根）を含んでおり、この場合、膨らんだ羽毛の中に熱を閉じ込めることが可能となり高い保温性を発揮する。掛け寝具本体２１の内部は、例えば、縦横に延びるマチ部によって仕切られていてもよい。
【００２９】
掛け寝具２０の下面２０ａは、長手方向Ｄ１及び幅方向Ｄ２に延びる長方形状を成している。下面２０ａには、幅方向Ｄ２の両端側のそれぞれに設けられる掛け寝具側接合部２３と、一対の掛け寝具側接合部２３の間に位置する第３一般部２４と、各掛け寝具側接合部２３における幅方向Ｄ２の更に両端側に位置する第４一般部２５とが設けられる。掛け寝具側接合部２３、第３一般部２４及び第４一般部２５のそれぞれの境目部分に縫い目が設けられていてもよいし、掛け寝具側接合部２３が直接第３一般部２４及び第４一般部２５に貼り付けられていてもよい。
【００３０】
掛け寝具側接合部２３は、敷き寝具１０に貼り付けられる部位である。掛け寝具側接合部２３は、長手方向Ｄ１に長く延びる長方形状を成しており、幅方向Ｄ２に一定長さ延びている。掛け寝具側接合部２３は、例えば、掛け寝具２０の長手方向Ｄ１の全体にわたって延びている。掛け寝具側接合部２３の材料については後述する。
【００３１】
掛け寝具側接合部２３は、敷き寝具１０の各側面１０ｂに接合される第４接合部２３ａと、敷き寝具１０の上面１０ａに接合される第５接合部２３ｂとを有する。第４接合部２３ａは各側面１０ｂに位置する第１接合部１３ａに貼り付けられ、第５接合部２３ｂは上面１０ａに位置する各第２接合部１３ｂに貼り付けられる。第４接合部２３ａ及び第５接合部２３ｂは互いに連続した１枚の平布状とされている。
【００３２】
第４接合部２３ａ及び第５接合部２３ｂは共に長手方向Ｄ１に長く延びる長方形状とされている。第４接合部２３ａは、第５接合部２３ｂよりも幅方向Ｄ２の両端側に設けられる。第４接合部２３ａの幅及び長さと第５接合部２３ｂの幅及び長さは、それぞれ、第１接合部１３ａの幅及び長さと第２接合部１３ｂの幅及び長さに対応している。
【００３３】
例えば、第４接合部２３ａの幅は１ｃｍ以上且つ３０ｃｍ以下であり、第５接合部２３ｂの幅は３ｃｍ以上且つ３０ｃｍ以下である。第４接合部２３ａの長手方向Ｄ１の端部、及び第５接合部２３ｂの長手方向Ｄ１の端部は、敷き寝具１０の第３接合部１３ｃに貼り付けられてもよい。
【００３４】
一例として、第３一般部２４及び第４一般部２５は、長手方向Ｄ１及び幅方向Ｄ２の双方に傾斜する方向に延びる複数の第１直縫い部２６と、長手方向Ｄ１及び幅方向Ｄ２の双方に傾斜する方向に延びると共に第１直縫い部２６に交差する複数の第２直縫い部２７とを有する。第３一般部２４及び第４一般部２５の材料としては、例えば、綿、ポリエステル又はレーヨン等、種々のものを用いることが可能である。
【００３５】
以下では、前述した敷き寝具側接合部１３及び掛け寝具側接合部２３の材料について説明する。図５に示されるように、敷き寝具１０の敷き寝具側接合部１３、及び掛け寝具２０の掛け寝具側接合部２３は、それぞれ、輪状に突出する複数のパイル部１３ｐ，２３ｐを有する。本明細書において「パイル部」は布地から輪状に突出する糸の集合体を示している。
【００３６】
敷き寝具側接合部１３の第１パイル部１３ｐ、及び掛け寝具側接合部２３の第２パイル部２３ｐは、共に、柔軟性が高い糸の集合体によって構成されている。第１パイル部１３ｐと第２パイル部２３ｐとは、粗さ及び配置間隔が互いに異なっている。具体的には、第１パイル部１３ｐの糸の集合体は、第２パイル部２３ｐの糸の集合体よりも太くなっており、複数の第１パイル部１３ｐの配置間隔は複数の第２パイル部２３ｐの配置間隔よりも広くなっている。これにより、複数の第１パイル部１３ｐにおける柔らかい糸の集合体と、複数の第２パイル部２３ｐにおける柔らかい糸の集合体とは互いに引っ掛かって絡み合う。
【００３７】
よって、敷き寝具側接合部１３及び掛け寝具側接合部２３は、凹凸を有しない面的な面接合であるにもかかわらず、肌触りが良好であると共に、面内方向（敷き寝具側接合部１３及び掛け寝具側接合部２３が互いにずれる方向）に対する強固な接合を実現させることが可能である。
【００３８】
一方、敷き寝具側接合部１３及び掛け寝具側接合部２３は、面外方向（敷き寝具側接合部１３及び掛け寝具側接合部２３が互いに接近又は離間する方向）には容易に取り外すことができる。更に、敷き寝具側接合部１３及び掛け寝具側接合部２３は、所謂面ファスナーと比較して、柔らかく且つ汚れが溜まりにくい素材とされている。
【００３９】
以上のように構成された敷き寝具１０に掛け寝具２０を掛けると、図２に示されるように、敷き寝具１０の各側面１０ｂの第１接合部１３ａに掛け寝具２０の下面２０ａの第４接合部２３ａが貼り付けられる。そして、敷き寝具１０の上面１０ａの各第２接合部１３ｂに掛け寝具２０の下面２０ａの第５接合部２３ｂが貼り付けられる。
【００４０】
次に、本実施形態に係る寝具１の作用効果についてより詳細に説明する。
【００４１】
寝具１は、長方形状の上面１０ａと、上面１０ａの幅方向Ｄ２の両端のそれぞれに設けられた側面１０ｂとを有し、一対の側面１０ｂのそれぞれに第１接合部１３ａが設けられている。各第１接合部１３ａには掛け寝具２０を貼り付け可能とされている。従って、掛け寝具２０を敷き寝具１０の側面１０ｂに設けられた各第１接合部１３ａに貼り付けることにより、各側面１０ｂに掛け寝具２０を貼り付けて接合することができる。
【００４２】
よって、掛け寝具２０を敷き寝具１０の上面１０ａに乗せて、掛け寝具２０の幅方向Ｄ２の両端側部分を敷き寝具１０の各側面１０ｂの第１接合部１３ａに貼り付けることにより、掛け寝具２０を容易に固定させることができる。また、敷き寝具１０の各側面１０ｂに設けられた一対の第１接合部１３ａによって掛け寝具２０を接合することができる。
【００４３】
従って、敷き寝具１０の上面１０ａに横たわる使用者が掛け寝具２０の下で寝返りを打っても、第１接合部１３ａにより敷き寝具１０の各側面１０ｂにおいて掛け寝具２０が接合されるので、各側面１０ｂからの掛け寝具２０のずれを抑制することができる。よって、敷き寝具１０の幅方向Ｄ２の両端において掛け寝具２０を接合し、各側面１０ｂへの掛け寝具２０の接合を維持することができるので、掛け寝具２０の落下を確実に抑制することができる。
【００４４】
また、上面１０ａの幅方向Ｄ２の両端側のそれぞれには、掛け寝具２０が貼り付けられる第２接合部１３ｂが設けられている。よって、敷き寝具１０の上面１０ａにおける幅方向Ｄ２の両端側のそれぞれに第２接合部１３ｂが設けられるので、敷き寝具１０の各側面１０ｂ及び上面１０ａに対する掛け寝具２０の接合をより確実に維持することができる。
【００４５】
また、掛け寝具２０は、鉛直下方に向けられる下面２０ａを有し、下面２０ａには、一対の側面１０ｂのそれぞれの第１接合部１３ａに貼り付けられる掛け寝具側接合部２３が設けられている。従って、掛け寝具２０は、敷き寝具１０の各側面１０ｂに設けられた第１接合部１３ａのそれぞれに貼り付けられる掛け寝具側接合部２３を備える。よって、敷き寝具１０の各側面１０ｂの第１接合部１３ａに掛け寝具側接合部２３を貼り付けることにより、敷き寝具１０に対する掛け寝具２０の貼り付けをより確実に行うことができる。従って、掛け寝具２０の落下をより確実に抑制することができる。
【００４６】
更に、寝具１では、図３に示されるように、第１接合部１３ａが敷き寝具１０の長手方向Ｄ１の全体にわたって延びており、各第１接合部１３ａが敷き寝具１０の長手方向Ｄ１の全体で掛け寝具２０を接合する。従って、第１接合部１３ａによって掛け寝具２０と敷き寝具１０との間の隙間が塞がれる。よって、使用者に寝袋で寝ているような感覚を与えることができると共に、寝具１の内側にすきま風を侵入しないようにすることができる。
【００４７】
（第２実施形態）
次に、第２実施形態に係る寝具３１について図６を参照しながら説明する。寝具３１は、前述した掛け寝具２０と、マットレスである敷き寝具１０とは異なる敷き寝具４０とを備える。敷き寝具４０は、マットレスよりも薄手とされた敷き布団である。敷き寝具４０の厚さ（高さ）は、例えば、３ｃｍ以上且つ２０ｃｍ以下であるが、適宜変更可能である。以降の説明では、第１実施形態と重複する説明を適宜省略する。
【００４８】
敷き寝具４０は、鉛直上方に向けられる長方形状の上面４０ａと、上面４０ａの幅方向Ｄ２の両端において水平方向に向けられる一対の側面４０ｂとを有する。敷き寝具４０は、直方体状を成す寝具本体４１と、寝具本体４１を覆うカバー４２とを備える。カバー４２は、幅方向Ｄ２の両端において長手方向Ｄ１に延びる一対の敷き寝具側接合部４３と、敷き寝具側接合部４３以外の箇所に設けられる一般部４４とを有する。敷き寝具側接合部４３及び一般部４４の境目部分には、縫い目が設けられていてもよい。敷き寝具側接合部４３は、掛け寝具２０の掛け寝具側接合部２３が貼り付けられる部位である。
【００４９】
敷き寝具側接合部４３の材料及び形状のそれぞれは、例えば敷き寝具側接合部１３の材料及び形状のそれぞれと同一である。敷き寝具側接合部４３は、一対の側面４０ｂのそれぞれに設けられる第１接合部４３ａと、上面４０ａの幅方向Ｄ２両端のそれぞれに設けられる第２接合部４３ｂと、第１接合部４３ａ及び第２接合部４３ｂの間で湾曲する湾曲部４３ｃとを有する。
【００５０】
例えば、第２接合部４３ｂの幅（幅方向Ｄ２の長さ）は３ｃｍ以上且つ１５ｃｍ以下である。第１接合部４３ａの高さ（厚さ方向Ｄ３の長さ）は、僅かであり、例えば、０．５ｃｍ以上且つ３ｃｍ以下である。湾曲部４３ｃは、第１接合部４３ａ及び第２接合部４３ｂを滑らかに接続する部分である。
【００５１】
敷き寝具４０に掛け寝具２０を掛けると、敷き寝具４０の各側面４０ｂの第１接合部４３ａ、及び上面４０ａの各第２接合部４３ｂに掛け寝具側接合部２３が貼り付けられる。掛け寝具側接合部２３は、敷き寝具側接合部４３と共に、第１接合部４３ａ、湾曲部４３ｃ及び第２接合部４３ｂに沿った接合部を形成する。
【００５２】
以上、第２実施形態に係る寝具３１は、敷き寝具４０の上面４０ａに横たわる使用者が掛け寝具２０の下で寝返りを打っても、第１接合部４３ａにより敷き寝具４０の各側面４０ｂにおいて掛け寝具２０が接合されるので、各側面４０ｂからの掛け寝具２０のずれを抑制することができる。従って、第１実施形態の寝具１と同様の効果が得られる。
【００５３】
また、上面４０ａの幅方向Ｄ２の両端側のそれぞれには、掛け寝具２０が貼り付けられる第２接合部４３ｂが設けられている。よって、敷き寝具４０の上面４０ａにおける幅方向Ｄ２両端側のそれぞれに第２接合部４３ｂが設けられるので、敷き寝具４０の各側面４０ｂ及び上面４０ａに対する掛け寝具２０の接合をより確実に維持することができる。また、敷き寝具４０の上面４０ａに第２接合部４３ｂが設けられることにより、薄い敷き寝具４０であっても確実に敷き寝具４０に掛け寝具２０を接合させることができる。従って、掛け寝具２０の落下をより確実に抑制することができる。
【００５４】
（第３実施形態）
続いて、第３実施形態に係る寝具５１について図７を参照しながら説明する。寝具５１は、敷き寝具１０と、前述した掛け寝具２０とは異なる掛け寝具６０とを備える。掛け寝具６０は、掛け寝具２０よりも薄手とされたタオルケットである。掛け寝具６０は、例えば、夏場に用いられる。掛け寝具６０は、鉛直下方に向けられる下面６０ａを有する。
【００５５】
下面６０ａの幅方向Ｄ２両端側のそれぞれには、掛け寝具側接合部６３が固定されている。掛け寝具側接合部６３は、前述した掛け寝具側接合部２３と同様、敷き寝具１０の各側面１０ｂに接合される第６接合部６３ａと、敷き寝具１０の上面１０ａに接合される第７接合部６３ｂとを有する。掛け寝具側接合部６３の形状、大きさ及び材料は、例えば、掛け寝具側接合部２３の形状、大きさ及び材料と同一である。
【００５６】
第３実施形態に係る寝具５１において、掛け寝具６０は、鉛直下方に向けられる下面６０ａを有し、下面６０ａには、一対の側面１０ｂのそれぞれの第１接合部１３ａに貼り付けられる掛け寝具側接合部６３が設けられる。よって、敷き寝具１０の各側面１０ｂの第１接合部１３ａに掛け寝具側接合部６３を貼り付けることにより、敷き寝具１０に対する掛け寝具６０の貼り付けをより確実に行うことができる。
【００５７】
従って、掛け寝具６０の落下をより確実に抑制することができる。その結果、例えばエアコンが作動する部屋で寝具５１を使用した場合に、掛け寝具６０が使用者の身体から捲れることが抑制されるので、使用者が風邪をひく等の問題を抑制することができる。よって、エアコンが作動する部屋においても快適な寝心地を使用者に提供することができる。
【００５８】
以上、本発明に係る寝具の実施形態について説明したが、本発明は、前述した各実施形態に限定されるものではなく、各請求項に記載した要旨を変更しない範囲において変形してもよい。すなわち、本発明に係る寝具の構成は、上記の要旨を変更しない範囲において種々の変形が可能である。
【００５９】
例えば、前述の実施形態では、掛け布団である掛け寝具２０、及びタオルケットである掛け寝具６０について説明したが、掛け寝具は、掛け布団又はタオルケット以外のものであってもよい。掛け寝具は、例えば、毛布であってもよく、種々のものを用いることができる。
【００６０】
また、前述の実施形態では、敷き寝具側接合部１３の第１パイル部１３ｐの配置間隔が掛け寝具側接合部２３の第２パイル部２３ｐの配置間隔よりも広く且つ粗くなっている例について説明した。しかしながら、第１パイル部１３ｐの配置間隔が第２パイル部２３ｐの配置間隔よりも狭く且つ細かくなっていてもよい。
【００６１】
また、前述の実施形態では、柔らかい糸の集合体から成るパイル部１３ｐ，２３ｐを備えた敷き寝具側接合部１３及び掛け寝具側接合部２３について説明した。しかしながら、各接合部の材料は上記に限定されず適宜変更可能である。例えば、各接合部の少なくとも一部は、面ファスナーであってもよい。
【００６２】
また、前述の実施形態では、第１接合部１３ａ、第２接合部１３ｂ及び第３接合部１３ｃが互いに連続した１枚の平布状とされている敷き寝具側接合部１３について説明した。しかしながら、敷き寝具側接合部の構成は前述の各実施形態に限定されず適宜変更可能である。例えば、第１接合部、第２接合部及び第３接合部が互いに別部材とされた敷き寝具側接合部であってもよいし、第１接合部、第２接合部及び第３接合部が互いに離間していてもよい。また、敷き寝具の側面に設けられる第１接合部のみを備えた敷き寝具側接合部であってもよい。
【００６３】
また、前述の実施形態では、敷き寝具１０に設けられた敷き寝具側接合部１３、及び掛け寝具２０に設けられた掛け寝具側接合部２３について説明した。しかしながら、敷き寝具１０には、掛け寝具側接合部を有しない掛け寝具が掛けられてもよい。すなわち、第１接合部の材料は掛け寝具を貼り付け可能な他の材料であってもよく、この場合、掛け寝具側接合部がない掛け寝具を第１接合部に貼り付けることが可能となる。
【００６４】
更に、敷き寝具側接合部、掛け寝具側接合部、並びに、敷き寝具側接合部及び掛け寝具側接合部を構成する各接合部の態様は前述の実施形態に限定されない。すなわち、敷き寝具側接合部、掛け寝具側接合部、及び各接合部の形状、大きさ、数及び配置態様については適宜変更可能である。
【符号の説明】
【００６５】
１，３１，５１…寝具、１０，４０…敷き寝具、１０ａ，４０ａ…上面、１０ｂ，４０ｂ…側面、１０ｃ…側面、１０ｄ…端辺、１１，４１…寝具本体、１２，４２…カバー、１３，４３…敷き寝具側接合部、１３ａ，４３ａ…第１接合部、１３ｂ，４３ｂ…第２接合部、１３ｃ…第３接合部、１３ｐ…第１パイル部、１４…第１一般部、１５…第２一般部、２０，６０…掛け寝具、２０ａ，６０ａ…下面、２１…掛け寝具本体、２２…カバー、２３，６３…掛け寝具側接合部、２３ａ…第４接合部、２３ｂ…第５接合部、２３ｐ…第２パイル部、２４…第３一般部、２５…第４一般部、２６…第１直縫い部、２７…第２直縫い部、４３ｃ…湾曲部、４４…一般部、６３ａ…第６接合部、６３ｂ…第７接合部、Ｂ…ベッド、Ｄ１…長手方向、Ｄ２…幅方向、Ｄ３…厚さ方向。
【図１】
2019042034.tif 000003
【図２】
2019042034.tif 000004
【図３】
2019042034.tif 000005
【図４】
2019042034.tif 000006
【図５】
2019042034.tif 000007
【図６】
2019042034.tif 000008
【図７】
2019042034.tif 000009